(57)【特許請求の範囲】
【請求項１】
基地局と複数の移動局とが複数の通信回線を用いてデータ通信するデータ通信方式において、
上記基地局は、
第１の下り通信回線を介して第１の移動局の第１の受信機又は第２の移動局の第２の受信機へデータを送信する第１の送信機と、
第２の下り通信回線を介して上記第１の移動局の第３の受信機又は上記第２の移動局の第４の受信機へデータを送信する第２の送信機とを備え、
上記第１の移動局は、
第１の上り通信回線を介して上記基地局の第５の受信機へデータを送信する第３の送信機と、
第２の上り通信回線を介して上記基地局の第６の受信機へデータを送信する第４の送信機とを備え、
上記第２の移動局は、
上記第１の上り通信回線を介して上記第５の受信機へデータを送信する第５の送信機と、
上記第２の上り通信回線を介して上記第６の受信機へデータを送信する第６の送信機とを備え、
通常時には、
上記第１の下り通信回線を介して、
上記第１の送信機が上記第１の受信機へデータを送信し、
上記第２の下り通信回線を介して、
上記第２の送信機が上記第４の受信機へデータを送信し、
上記第１の上り通信回線を介して、
上記第３の送信機が上記第５の受信機へデータを送信し、
上記第２の上り通信回線を介して、
上記第６の送信機が上記第６の受信機へデータを送信し、
上記第１の送信機が故障した場合には、
上記第２の下り回線を介して、
上記第２の送信機が上記第３の受信機及び上記第４の受信機へデータを送信する一方、
上記第１の上り通信回線を介して、
上記第３の送信機が上記第５の受信機へデータを送信し、
上記第２の上り通信回線を介して、
上記第６の送信機が上記第６の受信機へデータを送信することを特徴とするデータ通信方式。
【請求項２】
基地局と複数の移動局とが複数の通信回線を用いてデータ通信するデータ通信方式において、
上記基地局は、
第１の下り通信回線を介して第１の移動局の第１の受信機又は第２の移動局の第２の受信機へデータを送信する第１の送信機と、
第２の下り通信回線を介して上記第１の移動局の第３の受信機又は上記第２の移動局の第４の受信機へデータを送信する第２の送信機とを備え、
上記第１の移動局は、
第１の上り通信回線を介して上記基地局の第５の受信機へデータを送信する第３の送信機と、
第２の上り通信回線を介して上記基地局の第６の受信機へデータを送信する第４の送信機とを備え、
上記第２の移動局は、
上記第１の上り通信回線を介して上記第５の受信機へデータを送信する第５の送信機と、
上記第２の上り通信回線を介して上記第６の受信機へデータを送信する第６の送信機とを備え、
通常時には、
上記第１の下り通信回線を介して、
上記第１の送信機が上記第１の受信機へデータを送信し、
上記第２の下り通信回線を介して、
上記第２の送信機が上記第４の受信機へデータを送信し、
上記第１の上り通信回線を介して、
上記第３の送信機が上記第５の受信機へデータを送信し、
上記第２の上り通信回線を介して、
上記第６の送信機が上記第６の受信機へデータを送信し、
上記第５の受信機が故障した場合には、
上記第２の上り通信回線を介して、
上記第４の送信機及び上記第６の送信機が上記第６の受信機へデータを送信する一方、
上記第１の下り通信回線を介して、
上記第１の送信機が上記第１の受信機へデータを送信し、
上記第２の下り通信回線を介して、
上記第２の送信機が上記第４の受信機へデータを送信することを特徴とするデータ通信方式。
【請求項３】
基地局と複数の移動局とが複数の通信回線を用いてデータ通信するデータ通信方式において、
上記基地局は、
第１の下り通信回線を介して第１の移動局の第１の受信機又は第２の移動局の第２の受信機へデータを送信する第１の送信機と、
第２の下り通信回線を介して上記第１の移動局の第３の受信機又は上記第２の移動局の第４の受信機へデータを送信する第２の送信機とを備え、
上記第１の移動局は、
第１の上り通信回線を介して上記基地局の第５の受信機へデータを送信する第３の送信機と、
第２の上り通信回線を介して上記基地局の第６の受信機へデータを送信する第４の送信機とを備え、
上記第２の移動局は、
上記第１の上り通信回線を介して上記第５の受信機へデータを送信する第５の送信機と、
上記第２の上り通信回線を介して上記第６の受信機へデータを送信する第６の送信機とを備え、
通常時には、
上記第１の下り通信回線を介して、
上記第１の送信機が上記第１の受信機へデータを送信し、
上記第２の下り通信回線を介して、
上記第２の送信機が上記第４の受信機へデータを送信し、
上記第１の上り通信回線を介して、
上記第３の送信機が上記第５の受信機へデータを送信し、
上記第２の上り通信回線を介して、
上記第６の送信機が上記第６の受信機へデータを送信し、
上記第３の送信機が故障した場合には、
上記第２の上り通信回線を介して、
上記第４の送信機が上記第６の受信機へデータを送信し、
上記第１の上り通信回線を介して、
上記第５の送信機が上記第５の受信機へデータを送信する一方、
上記第１の下り通信回線を介して、
上記第１の送信機が上記第１の受信機へデータを送信し、
上記第２の下り通信回線を介して、
上記第２の送信機が上記第４の受信機へデータを送信することを特徴とするデータ通信方式。
【請求項４】
基地局と複数の移動局とが複数の通信回線を用いてデータ通信するデータ通信方式において、
上記基地局は、
第１の下り通信回線を介して第１の移動局の第１の受信機又は第２の移動局の第２の受信機へデータを送信する第１の送信機と、
第２の下り通信回線を介して上記第１の移動局の第３の受信機又は上記第２の移動局の第４の受信機へデータを送信する第２の送信機とを備え、
上記第１の移動局は、
第１の上り通信回線を介して上記基地局の第５の受信機へデータを送信する第３の送信機と、
第２の上り通信回線を介して上記基地局の第６の受信機へデータを送信する第４の送信機とを備え、
上記第２の移動局は、
上記第１の上り通信回線を介して上記第５の受信機へデータを送信する第５の送信機と、
上記第２の上り通信回線を介して上記第６の受信機へデータを送信する第６の送信機とを備え、
通常時には、
上記第１の下り通信回線を介して、
上記第１の送信機が上記第１の受信機へデータを送信し、
上記第２の下り通信回線を介して、
上記第２の送信機が上記第４の受信機へデータを送信し、
上記第１の上り通信回線を介して、
上記第３の送信機が上記第５の受信機へデータを送信し、
上記第２の上り通信回線を介して、
上記第６の送信機が上記第６の受信機へデータを送信し、
上記第１の受信機が故障した場合には、
上記第２の下り通信回線を介して、
上記第２の送信機が上記第３の受信機へデータを送信し、
上記第１の下り通信回線を介して、
上記第１の送信機が上記第２の受信機へデータを送信する一方、
上記第１の上り通信回線を介して、
上記第３の送信機が上記第５の受信機へデータを送信し、
上記第２の上り通信回線を介して、
上記第６の送信機が上記第６の受信機へデータを送信することを特徴とするデータ通信方式。
【発明の詳細な説明】
【技術分野】
【０００１】
本発明は、基地局と移動局とが複数のキャリアを用いてデータ通信するデータ通信方式に関し、特に基地局又は移動局の送受信機が故障した場合に無線回線の使用効率を向上させるスロット割当を行うようにしたものに関する。
【背景技術】
【０００２】
基地局と移動局とが複数のキャリアを用いてデータ通信する場合、基地局が移動局に割当てるスロットを上りキャリアと下りキャリアとで括り付けて割当てを行っている。
【０００３】
図９はこの種従来の通信システムを示したブロック図であり、１つの基地局１と４つの移動局２１〜２４が２組の上り及び下り通信回線を使用してデータ通信を行うシステム構成となっている。図において、基地局１は下りキャリアＣ波でデータ送信する送信機３１及び下りキャリアＤ波でデータ送信する送信機３２と上りキャリアＣ波でデータ受信する受信機４１及び上りキャリアＤ波でデータ受信する受信機４２とを有する。５は基地局１の無線アダプタ部であり、多重部６におけるフレームの分離生成、上り通信回線及び下り通信回線の割当てやポーリング制御などを行う。また、多重部６はデータの多重化・分離、無線フレームの生成分離、及び送受信部のステータス監視などを行う。
【０００４】
移動局２１〜２４は下りキャリアＣ波で基地局１からのデータを受信する受信機７１、下りキャリアＤ波で基地局１からのデータを受信する受信機７２と上りキャリアＣ波で基地局１へデータ送信する送信機８１、上りキャリアＤ波で基地局１へデータ送信する送信機８２とを有する。９は移動局２１〜２４の無線アダプタ部であり、多重部１０におけるフレームの分離生成、ポーリング制御、多重部１０の監視などを行う。また、多重部１０はデータの多重化・分離、無線フレームの生成分離、及び送受信部のステータス監視などを行う。
【０００５】
即ち、基地局１の無線アダプタ部５は各通信回線のスロットを制御チャネルで割当てることで任意のスロットに下りデータを格納して移動局２１〜２４へ送信する。多重部６で多重化された下りデータは各通信回線の送信機３１、３２から移動局２１〜２４へ向けて送信される。通常運用の状態で移動局が４台存在している場合における各移動局２１〜２４に対するスロット割当てイメージを図１０に示す。図１０において、移動局２１への下りデータ（ＭＬ１）はＤｏｗｎＬｉｎｋ−Ｃの通信回線におけるフレーム番号０に割当て、移動局２２への下りデータ（ＭＬ２）はＤｏｗｎＬｉｎｋ−Ｄの通信回線におけるフレーム番号０に割当て、移動局２３への下りデータ（ＭＬ３）はＤｏｗｎＬｉｎｋ−Ｃの通信回線におけるフレーム番号１に割当て、移動局２４への下りデータ（ＭＬ４）はＤｏｗｎＬｉｎｋ−Ｄの通信回線におけるフレーム番号１に割当てて送信する。同様に、移動局２１から基地局１への上りデータ（ＭＬ１）はＵｐＬｉｎｋ−Ｃの通信回線におけるフレーム番号０に割当て、移動局２２から基地局１への上りデータ（ＭＬ２）はＵｐＬｉｎｋ−Ｄの通信回線におけるフレーム番号０に割当て、移動局２３から基地局１への上りデータ（ＭＬ３）はＵｐＬｉｎｋ−Ｃの通信回線におけるフレーム番号１に割当て、移動局２４から基地局１への上りデータ（ＭＬ４）はＵｐＬｉｎｋ−Ｄの通信回線におけるフレーム番号１に割当てて送信される。
【０００６】
移動局２１〜２４の無線アダプタ部９は、基地局１へ上りデータの送信要求を送信することで各通信回線の任意のスロットが割当てられ、上りデータを送信する。上りデータは移動局２１〜２４の多重部１０で多重化され、送信機８１、８２から基地局１へ送信される。
【０００７】
基地局１及び移動局２１〜２４の送受信機が故障した場合には、基地局１の無線アダプタ部５によって、適宜、各通信回線のスロット割当てを行い、縮退運転を行う必要がある。基地局１の送信機３１、３２及び受信機４１、４２が故障した場合は多重部６を経由して故障した送信機、受信機が無線アダプタ部５へ通知される。また、移動局２１〜２４は周期的に行うポーリング応答の制御チャネル内に送信機、受信機の故障情報を格納して基地局１の無線アダプタ部５へ故障情報を通知する。
【０００８】
次に、基地局１のＵｐＬｉｎｋ−Ｄの通信回線を受信する受信機４２が故障した場合の縮退運転方式を図１１により説明する。受信機４２に故障Ｆ１が発生すると、基地局１はＵｐＬｉｎｋ−Ｄの通信回線を故障Ｆ２と見なす。また、移動局２１〜２４にＵｐＬｉｎｋ−Ｄの通信回線におけるスロット割当てができないため、基地局１の送信機３２、移動局２１〜２４の受信機７２は故障していないが、ＤｏｗｎＬｉｎｋ−Ｄの通信回線も故障Ｆ３と見なす。これは、基地局１が移動局に割当てるスロットを上り回線と下り回線とで括り付けているからである。
【０００９】
その結果、受信機４２が故障Ｆ１した場合における無線アダプタ部５のスロット割当ては図１２のように、移動局２１への下りデータ（ＭＬ１）はＤｏｗｎＬｉｎｋ−Ｃの通信回線におけるフレーム番号０に割当て、移動局２２への下りデータ（ＭＬ２）はＤｏｗｎＬｉｎｋ−Ｃの通信回線におけるフレーム番号１に割当て、移動局２３への下りデータ（ＭＬ３）はＤｏｗｎＬｉｎｋ−Ｃの通信回線におけるフレーム番号２に割当て、移動局２４への下りデータ（ＭＬ４）はＤｏｗｎＬｉｎｋ−Ｃの通信回線におけるフレーム番号３に割当てて送信される。同様に、移動局２１から基地局１への上りデータ（ＭＬ１）はＵｐＬｉｎｋ−Ｃの通信回線におけるフレーム番号０に割当て、移動局２２から基地局１への上りデータ（ＭＬ２）はＵｐＬｉｎｋ−Ｃの通信回線におけるフレーム番号１に割当て、移動局２３から基地局１への上りデータ（ＭＬ３）はＵｐＬｉｎｋ−Ｃの通信回線におけるフレーム番号２に割当て、移動局２４から基地局１への上りデータ（ＭＬ４）はＵｐＬｉｎｋ−Ｃの通信回線におけるフレーム番号３に割当てられる。
【００１０】
また、ＵｐＬｉｎｋ−Ｃの通信回線で基地局１へデータ送信する移動局２１の送信機８１及びＵｐＬｉｎｋ−Ｄの通信回線で基地局１へデータ送信する移動局２３の送信機８２が故障した場合の縮退運転を図１３により説明する。移動局２１の送信機８１が故障Ｆ１１及び移動局２３の送信機８２が故障Ｆ１２すると、基地局１は移動局２１のＵｐＬｉｎｋ−Ｃの通信回線の故障Ｆ２１、及び移動局２３のＵｐＬｉｎｋ−Ｄの通信回線の故障Ｆ２２と見なす。また、基地局１は移動局２１のＤｏｗｎＬｉｎｋ−Ｃの通信回線も故障Ｆ３１と見なすと共に、移動局２３のＤｏｗｎＬｉｎｋ−Ｄの通信回線も故障Ｆ３２と見なす。これも、上記と同様に基地局１が移動局に割当てるスロットを上り回線と下り回線とで括り付けているからである。
【００１１】
その結果、移動局２１の送信機８１及び移動局２３の送信機８２が故障した場合における無線アダプタ部５のスロット割当ては図１４のように、移動局２１への下りデータ（ＭＬ１）はＤｏｗｎＬｉｎｋ−Ｄの通信回線におけるフレーム番号０に割当て、移動局２２への下りデータ（ＭＬ２）はＤｏｗｎＬｉｎｋ−Ｃの通信回線におけるフレーム番号１に割当て、移動局２３への下りデータ（ＭＬ３）はＤｏｗｎＬｉｎｋ−Ｃの通信回線におけるフレーム番号２に割当て、移動局２４への下りデータ（ＭＬ４）はＤｏｗｎＬｉｎｋ−Ｄの通信回線におけるフレーム番号２に割当てて送信される。同様に、移動局２１から基地局１への上りデータ（ＭＬ１）はＵｐＬｉｎｋ−Ｄの通信回線におけるフレーム番号０に割当て、移動局２２から基地局１への上りデータ（ＭＬ２）はＵｐＬｉｎｋ−Ｃの通信回線におけるフレーム番号１に割当て、移動局２３から基地局１への上りデータ（ＭＬ３）はＵｐＬｉｎｋ−Ｃの通信回線におけるフレーム番号２に割当て、移動局２４から基地局１への上りデータ（ＭＬ４）はＵｐＬｉｎｋ−Ｄの通信回線におけるフレーム番号２に割当てて送信される。
【００１２】
なお、上述した従来技術の参考例として非特許文献に記載されたものがある。
【００１３】
【非特許文献１】狭帯域デジタル通信方式（ＴＤＭＡ）標準規格  ＲＣＲ  ＳＴＤ−３９（４．０版）（平成１１年１２月１４日）
【発明の開示】
【発明が解決しようとする課題】
【００１４】
従来のデータ通信方式は、基地局が移動局に割当てるスロットを上り回線と下り回線とで括り付けているので、一方の回線を故障と判定すると当該一方の回線に対応した正常な他方の回線も故障と見なしてしまうため、通信回線の使用効率が低い問題点があった。
【００１５】
本発明は、上述のような従来の問題点に鑑みてなされたものであり、故障時における通信回線の使用効率を向上することを目的としている。
【課題を解決するための手段】
【００１６】
本発明に係るデータ通信方式は、基地局と複数の移動局とが複数の通信回線を用いてデータ通信するものであり、上記基地局は、第１の下り通信回線を介して第１の移動局の第１の受信機又は第２の移動局の第２の受信機へデータを送信する第１の送信機と、第２の下り通信回線を介して上記第１の移動局の第３の受信機又は上記第２の移動局の第４の受信機へデータを送信する第２の送信機とを備え、上記第１の移動局は、第１の上り通信回線を介して上記基地局の第５の受信機へデータを送信する第３の送信機と、第２の上り通信回線を介して上記基地局の第６の受信機へデータを送信する第４の送信機とを備え、上記第２の移動局は、上記第１の上り通信回線を介して上記第５の受信機へデータを送信する第５の送信機と、上記第２の上り通信回線を介して上記第６の受信機へデータを送信する第６の送信機とを備え、通常時には、上記第１の下り通信回線を介して、上記第１の送信機が上記第１の受信機へデータを送信し、上記第２の下り通信回線を介して、上記第２の送信機が上記第４の受信機へデータを送信し、上記第１の上り通信回線を介して、上記第３の送信機が上記第５の受信機へデータを送信し、上記第２の上り通信回線を介して、上記第６の送信機が上記第６の受信機へデータを送信し、上記第１の送信機が故障した場合には、上記第２の下り回線を介して、上記第２の送信機が上記第３の受信機及び上記第４の受信機へデータを送信する一方、上記第１の上り通信回線を介して、上記第３の送信機が上記第５の受信機へデータを送信し、上記第２の上り通信回線を介して、上記第６の送信機が上記第６の受信機へデータを送信するように構成したものである。
【発明の効果】
【００１７】
本発明によれば、基地局の第１の送信機が故障した場合には、上記第２の下り回線を介して、上記第２の送信機が上記第３の受信機及び上記第４の受信機へデータを送信する一方、上記第１の上り通信回線を介して、上記第３の送信機が上記第５の受信機へデータを送信し、上記第２の上り通信回線を介して、上記第６の送信機が上記第６の受信機へデータを送信するように構成したので、故障時における通信回線の使用効率を向上することができる効果がある。
【発明を実施するための最良の形態】
【００１８】
以下、本発明の実施の形態を図について説明する。図１は基地局１のＵｐＬｉｎｋ−Ｄの通信回線を受信する送信機４２が故障した場合の縮退運転方式を説明するためのブロック図である。基地局１の送信機４２が故障Ｆ１すると基地局１の無線アダプタ部５はＵｐＬｉｎｋ−Ｄの通信回線を故障Ｆ２と見なす。しかし、ＤｏｗｎＬｉｎｋ−Ｄの通信回線を介して移動局２１〜２４へデータを送信する基地局１の送信機３２及び該送信機３２からのデータを受信する移動局２１〜２４の受信機７２は正常であるため、基地局１の無線アダプタ部５はＤｏｗｎＬｉｎｋ−Ｄの通信回線を故障とは見なさない。
【００１９】
その結果、基地局１のＵｐＬｉｎｋ−Ｄの通信回線を受信する送信機４２が故障Ｆ１した場合における無線アダプタ部５のスロット割当ては図２に示すように、移動局２１への下りデータ（ＭＬ１）はＤｏｗｎＬｉｎｋ−Ｃの通信回線におけるフレーム番号０に割当て、移動局２２への下りデータ（ＭＬ２）はＤｏｗｎＬｉｎｋ−Ｄの通信回線におけるフレーム番号０に割当て、移動局２３への下りデータ（ＭＬ３）はＤｏｗｎＬｉｎｋ−Ｃの通信回線におけるフレーム番号１に割当て、移動局２４への下りデータ（ＭＬ４）はＤｏｗｎＬｉｎｋ−Ｄの通信回線におけるフレーム番号１に割当てて送信される。
【００２０】
一方、移動局２１〜２４から基地局１へ送信される上りデータはＵｐＬｉｎｋ−Ｄの通信回線を故障と見なしているので、移動局２１から基地局１への上りデータ（ＭＬ１）はＵｐＬｉｎｋ−Ｃの通信回線におけるフレーム番号０に割当て、移動局２２から基地局１への上りデータ（ＭＬ２）はＵｐＬｉｎｋ−Ｃの通信回線におけるフレーム番号１に割当て、移動局２３から基地局１への上りデータ（ＭＬ３）はＵｐＬｉｎｋ−Ｃの通信回線におけるフレーム番号２に割当て、移動局２４から基地局１への上りデータ（ＭＬ４）はＵｐＬｉｎｋ−Ｃの通信回線におけるフレーム番号３に割当てて送信される。したがって、ＤｏｗｎＬｉｎｋ−Ｄの通信回線を有効に利用しているので、通信回線の使用効率が向上する。
【００２１】
次に、移動局２１〜２４側に送信機８１、８２が故障した場合の縮退運転方式について説明する。図３は移動局２１のＵｐＬｉｎｋ−Ｃの通信回線を介して基地局１へデータ送信する送信機８１が故障Ｆ１１すると共に、移動局２３のＵｐＬｉｎｋ−Ｄの通信回線を介して基地局１へデータ送信する送信機８２が故障Ｆ１２した場合の縮退運転方式を説明するためのブロック図である。
【００２２】
先ず、移動局２１の送信機８１が故障Ｆ１１すると、基地局１の無線アダプタ部５は移動局２１のＵｐＬｉｎｋ−Ｃの通信回線を故障Ｆ２１と見なす。しかし、移動局２１のＤｏｗｎＬｉｎｋ−Ｃの通信回線を介してデータ受信する受信機７１は正常であるため、移動局２１の受信機７１がデータ受信するＤｏｗｎＬｉｎｋ−Ｃの通信回線を故障とは見なさない。さらに、移動局２３の送信機８２が故障Ｆ１２すると、基地局１の無線アダプタ部５は移動局２３のＵｐＬｉｎｋ−Ｄの通信回線を故障Ｆ２２と見なす。しかし、移動局２３のＤｏｗｎＬｉｎｋ−Ｄの通信回線を介してデータ受信する受信機７２は正常であるため、移動局２３の受信機７２がデータ受信するＤｏｗｎＬｉｎｋ−Ｄの通信回線を故障とは見なさない。
【００２３】
その結果、移動局２１のＵｐＬｉｎｋ−Ｃの通信回線を介してデータ送信する送信機８１及び移動局２３のＵｐＬｉｎｋ−Ｄの通信回線を介してデータ送信する送信機８２が故障した場合における無線アダプタ部５のスロット割当ては図４に示すように、移動局２１への下りデータ（ＭＬ１）はＤｏｗｎＬｉｎｋ−Ｃの通信回線におけるフレーム番号０に割当て、移動局２２への下りデータ（ＭＬ２）はＤｏｗｎＬｉｎｋ−Ｄの通信回線におけるフレーム番号０に割当て、移動局２３への下りデータ（ＭＬ３）はＤｏｗｎＬｉｎｋ−Ｃの通信回線におけるフレーム番号１に割当て、移動局２４への下りデータ（ＭＬ４）はＤｏｗｎＬｉｎｋ−Ｄの通信回線におけるフレーム番号１に割当ててデータ送信する。
【００２４】
一方、移動局２１のＵｐＬｉｎｋ−Ｃの通信回線及び移動局２３のＵｐＬｉｎｋ−Ｄの通信回線は故障と見なしているので、移動局２１から基地局１への上りデータ（ＭＬ１）はＵｐＬｉｎｋ−Ｄの通信回線におけるフレーム番号０に割当て、移動局２２から基地局１への上りデータ（ＭＬ２）はＵｐＬｉｎｋ−Ｃの通信回線におけるフレーム番号１に割当て、移動局２３から基地局１への上りデータ（ＭＬ３）はＵｐＬｉｎｋ−Ｃの通信回線におけるフレーム番号２に割当て、移動局２４から基地局１への上りデータ（ＭＬ４）はＵｐＬｉｎｋ−Ｄの通信回線におけるフレーム番号２に割当ててデータ送信する。
【００２５】
したがって、正常にデータ送信ができる通信回線を有効に使用してデータ送信しているので、通信回線の使用効率が向上する。
【００２６】
次に、基地局１の送信機３１、３２が故障した場合の縮退運転方式について説明する。図５は基地局１のＤｏｗｎＬｉｎｋ−Ｄの通信回線でデータ送信する送信機３２が故障Ｆ１した場合の縮退運転方式を説明するためのブロック図である。送信機３２が故障Ｆ１すると基地局１の無線アダプタ部５は、送信機３２から移動局２１〜２４へデータ送信するＤｏｗｎＬｉｎｋ−Ｄの通信回線を故障Ｆ２と見なす。しかし、ＵｐＬｉｎｋ−Ｄの通信回線を介してデータ受信する基地局１の受信機４２及びＵｐＬｉｎｋ−Ｄの通信回線を介してデータ送信する移動局２１〜２４の送信機８２は正常であるため、ＵｐＬｉｎｋ−Ｄの通信回線を故障とは見なさない。
【００２７】
その結果、基地局１のＤｏｗｎＬｉｎｋ−Ｄの通信回線でデータ送信する送信機３２が故障Ｆ１した場合における無線アダプタ部５のスロット割当ては図６に示すように、移動局２１への下りデータ（ＭＬ１）はＤｏｗｎＬｉｎｋ−Ｃの通信回線におけるフレーム番号０に割当て、移動局２２への下りデータ（ＭＬ２）はＤｏｗｎＬｉｎｋ−Ｃの通信回線におけるフレーム番号１に割当て、移動局２３への下りデータ（ＭＬ３）はＤｏｗｎＬｉｎｋ−Ｃの通信回線におけるフレーム番号２に割当て、移動局２４への下りデータ（ＭＬ４）はＤｏｗｎＬｉｎｋ−Ｃの通信回線におけるフレーム番号３に割当ててデータ送信する。
【００２８】
一方、移動局２１〜２４から基地局１へデータ送信するＵｐＬｉｎｋ−Ｃの通信回線及びＵｐＬｉｎｋ−Ｄの通信回線は双方とも正常であるので、移動局２１から基地局１への上りデータ（ＭＬ１）はＵｐＬｉｎｋ−Ｃの通信回線におけるフレーム番号０に割当て、移動局２２から基地局１への上りデータ（ＭＬ２）はＵｐＬｉｎｋ−Ｄの通信回線におけるフレーム番号０に割当て、移動局２３から基地局１への上りデータ（ＭＬ３）はＵｐＬｉｎｋ−Ｃの通信回線におけるフレーム番号１に割当て、移動局２４から基地局１への上りデータ（ＭＬ４）はＵｐＬｉｎｋ−Ｄの通信回線におけるフレーム番号１に割当ててデータ送信する。
【００２９】
したがって、正常にデータ送信ができる通信回線を有効に使用してデータ送信しているので、通信回線の使用効率が向上する。
【００３０】
次に、移動局２１〜２４の受信機７１、７２が故障した場合の縮退運転方式について説明する。図７は移動局２１のＤｏｗｎＬｉｎｋ−Ｃの通信回線を介してデータ受信する受信機７１が故障Ｆ１１すると共に、移動局２３のＤｏｗｎＬｉｎｋ−Ｄの通信回線を介してデータ受信する受信機７２が故障Ｆ１２した場合の縮退運転方式を説明するためのブロック図である。
【００３１】
先ず、移動局２１のＤｏｗｎＬｉｎｋ−Ｃの通信回線を介してデータ受信する受信機７１が故障Ｆ１１すると、基地局１の無線アダプタ部５は、移動局２１の受信機７１がデータ受信するＤｏｗｎＬｉｎｋ−Ｃの通信回線を故障２１と見なす。しかし、移動局２１の送信機８１がデータ送信するＵｐＬｉｎｋ−Ｃの通信回線を故障とは見なさない。一方、移動局２３のＤｏｗｎＬｉｎｋ−Ｄの通信回線を介してデータ受信する受信機７２が故障Ｆ１２すると、基地局１の無線アダプタ部５は、移動局２３の受信機７２がデータ受信するＤｏｗｎＬｉｎｋ−Ｄの通信回線を故障Ｆ２２と見なす。しかし、移動局２３の送信機８２がデータ送信するＵｐＬｉｎｋ−Ｄの通信回線を故障とは見なさない。
【００３２】
その結果、移動局２１のＤｏｗｎＬｉｎｋ−Ｃの通信回線を介してデータ受信する受信機７１及び移動局２３のＤｏｗｎＬｉｎｋ−Ｄの通信回線を介してデータ受信する受信機７２が故障した場合における無線アダプタ部５のスロット割当ては図８に示すように、移動局２１への下りデータ（ＭＬ１）はＤｏｗｎＬｉｎｋ−Ｄの通信回線におけるフレーム番号０に割当て、移動局２２への下りデータ（ＭＬ２）はＤｏｗｎＬｉｎｋ−Ｃの通信回線におけるフレーム番号１に割当て、移動局２３への下りデータ（ＭＬ３）はＤｏｗｎＬｉｎｋ−Ｃの通信回線におけるフレーム番号２に割当て、移動局２４への下りデータ（ＭＬ４）はＤｏｗｎＬｉｎｋ−Ｄの通信回線におけるフレーム番号２に割当ててデータ送信する。
【００３３】
一方、移動局２１〜２４から基地局１へデータ送信するＵｐＬｉｎｋ−Ｃの通信回線及びＵｐＬｉｎｋ−Ｄの通信回線は双方とも正常であるので、移動局２１から基地局１への上りデータ（ＭＬ１）はＵｐＬｉｎｋ−Ｃの通信回線におけるフレーム番号０に割当て、移動局２２から基地局１への上りデータ（ＭＬ２）はＵｐＬｉｎｋ−Ｄの通信回線におけるフレーム番号０に割当て、移動局２３から基地局１への上りデータ（ＭＬ３）はＵｐＬｉｎｋ−Ｃの通信回線におけるフレーム番号１に割当て、移動局２４から基地局１への上りデータ（ＭＬ４）はＵｐＬｉｎｋ−Ｄの通信回線におけるフレーム番号１に割当ててデータ送信する。
【００３４】
したがって、正常にデータ送信ができる通信回線を有効に使用してデータ送信しているので、通信回線の使用効率が向上する。
【図面の簡単な説明】
【００３５】
【図１】本発明の実施の形態における縮退運転方式を説明するためのブロック図である。
【図２】本発明の実施の形態における故障時のスロット割当て状態を示した図である。
【図３】本発明の実施の形態における縮退運転方式を説明するためのブロック図である。
【図４】本発明の実施の形態における故障時のスロット割当て状態を示した図である。
【図５】本発明の実施の形態における縮退運転方式を説明するためのブロック図である。
【図６】本発明の実施の形態における故障時のスロット割当て状態を示した図である。
【図７】本発明の実施の形態における縮退運転方式を説明するためのブロック図である。
【図８】本発明の実施の形態における故障時のスロット割当て状態を示した図である。
【図９】従来のデータ通信を行うシステムを示したブロック図である。
【図１０】従来の正常時におけるスロット割当て状態を示した図である。
【図１１】従来の縮退運転方式を説明するためのブロック図である。
【図１２】従来の故障時のスロット割当て状態を示した図である。
【図１３】従来の縮退運転方式を説明するためのブロック図である。
【図１４】従来の故障時のスロット割当て状態を示した図である。
【符号の説明】
【００３６】
１  基地局    ２１〜２４  移動局    ３１、３２  基地局側送信機    ４１、４２  基地局側受信機    ５  基地局側無線アダプタ部    ６  基地局側多重部    ７１、７１  移動局側受信機    ８１、８２移動局側送信機    ９  移動局側無線アダプタ部    １０  移動局側多重部。
【図１】
0004983439.tif 000002
【図２】
0004983439.tif 000003
【図３】
0004983439.tif 000004
【図４】
0004983439.tif 000005
【図５】
0004983439.tif 000006
【図６】
0004983439.tif 000007
【図７】
0004983439.tif 000008
【図８】
0004983439.tif 000009
【図９】
0004983439.tif 000010
【図１０】
0004983439.tif 000011
【図１１】
0004983439.tif 000012
【図１２】
0004983439.tif 000013
【図１３】
0004983439.tif 000014
【図１４】
0004983439.tif 000015